(57)【要約】【課題】任意の端末に対してユーザの所望する使用環境を容易に適用できるようにする。【解決手段】端末１の設定情報管理手段１６Ｃにより、記憶部１５の機能設定情報１５Ａを含む登録要求を端末管理装置２へ送信して、端末管理装置２へ機能設定情報１５Ａを登録しておき、その後、更新要求を端末管理装置２に送信して、端末管理装置２から受信した機能設定情報を記憶部１５へ格納するようにしたものである。また、端末管理装置２の設定情報登録手段２６Ａにより、端末１からの登録要求に含まれる機能設定情報を蓄積部２５へ登録しておき、その後、端末１からの更新要求に応じて蓄積部２５に登録されている機能設定情報を端末１へ配信する。【選択図】  図１
2006094507.tif 000002
【特許請求の範囲】
【請求項１】
通信回線を介するデータ通信をサポートする複数の端末と、
前記端末の端末機能確立を実行するために前記通信回線を介して前記端末と通信する端末管理装置と
を含み、
前記端末のそれぞれは、前記機能設定情報を前記端末管理装置に一時的に保管することにより、前記端末管理装置を介して少なくとも１つの他の端末に前記端末の機能に関する機能設定情報を転送する
ことを特徴とする端末管理システム。
【請求項２】
通信回線を介するデータ通信をサポートする複数の端末と、
前記端末の端末機能確立を実行するために前記通信回線を介して前記端末と通信する端末管理装置と
を含み、
前記端末のそれぞれは、
機能設定情報に基づいて各種機能を実行する機能コントローラと、
前記機能設定情報を含む登録要求を前記端末管理装置に送信し、又は前記端末管理装置から受信した前記機能設定情報を更新する要求を前記端末管理装置に送信する機能設定情報管理手段と
を含むことを特徴とする端末管理システム。
【請求項３】
前記端末管理装置は、
端末からの登録要求に含まれる前記機能設定情報を登録する機能設定情報登録手段と、
前記端末または少なくとも１つの他の端末からの前記機能設定情報に関する要求に基づいて前記機能設定情報を送信する機能設定情報送信器と
を含む、請求項２に記載の端末管理システム。
【請求項４】
前記登録要求は、前記端末または端末ユーザに関する識別情報を含む
請求項２に記載の端末管理システム。
【請求項５】
更新に関する前記要求は、前記識別情報を含む、請求項２に記載の端末管理システム。
【請求項６】
前記機能設定情報登録手段は、更新に関する前記要求に含まれる前記識別情報に対応する前記機能設定情報を入手する、請求項２に記載の端末管理システム。
【請求項７】
前記識別情報は、前記端末に固有のモバイル識別番号（ＭＩＮ：Ｍｏｂｉｌｅ  Ｉｄｅｎｔｉｆｉｃａｔｉｏｎ  Ｎｕｍｂｅｒ）を含む、請求項４に記載の端末管理システム。
【請求項８】
前記識別情報は、前記端末に固有のシリアル番号（ＥＳＮ：Ｅｌｅｃｔｒｏｎｉｃ  Ｓｅｒｉａｌ  Ｎｕｍｂｅｒ）を含む、請求項４に記載の端末管理システム。
【請求項９】
前記端末のそれぞれは、さらに、メモリに保管された前記機能設定情報を変更する機能確立手段を含む
請求項２に記載の端末管理システム。
【請求項１０】
前記機能設定情報管理手段は、前記機能設定情報として、変更された機能設定情報を含む前記登録要求を前記端末管理装置に送信する
請求項３に記載の端末管理システム。
【請求項１１】
前記機能設定情報管理手段は、前記端末の電源がオンに切り替えられる時に、機能設定情報を含む前記登録要求を前記端末管理装置に送信する
請求項２に記載の端末管理システム。
【請求項１２】
前記機能設定情報管理手段は、前記端末がオンに切り替えられる時に、メモリ内の機能設定情報を含む前記登録要求を前記端末管理装置に送信する
請求項３に記載の端末管理システム。
【請求項１３】
通信回線を介するデータ通信をサポートする複数の端末と、前記端末の端末機能確立を実行するために前記通信回線を介して前記端末と通信する端末管理装置とを有する端末管理システムで使用される端末であって、
機能設定情報に基づいて各種機能を実行する機能コントローラと、
前記機能設定情報を含む登録要求を前記端末管理装置に送信するか、前記端末管理装置から受信された前記機能設定情報を更新する要求を前記端末管理装置に送信する機能設定情報管理手段と
を含む、端末。
【請求項１４】
通信回線を介するデータ通信をサポートする複数の端末と、前記端末の端末機能確立を実行するために前記通信回線を介して前記端末と通信する端末管理装置とを有する端末管理システムで使用される前記端末管理装置であって、
端末からの登録要求に含まれる機能設定情報を登録する機能設定情報登録手段と、
少なくとも１つの前記端末からの更新に関する要求に基づいて、前記機能設定情報を送信する機能設定情報送信器と
を含む、端末管理装置。
【請求項１５】
通信回線を介するデータ通信をサポートする複数の端末と、前記端末の端末機能確立を実行するために前記通信回線を介して前記端末と通信する端末管理装置とを有する端末管理システムで使用される方法であって、
前記端末によって、機能設定情報を含む登録要求を前記端末管理装置に送信するか、前記端末管理装置から受信された前記機能設定情報を更新する要求を前記端末管理装置に送信するステップと、
前記端末管理装置によって、前記端末からの登録要求に含まれる前記機能設定情報を登録するか、前記端末管理装置によって、前記端末からの更新に関する要求に基づいて前記機能設定情報を送信するステップと
を含む方法。
【請求項１６】
通信回線を介するデータ通信をサポートする複数の端末と、前記端末の端末機能確立を実行するために前記通信回線を介して前記端末と通信する端末管理装置とを有する端末管理システムで使用される端末のコンピュータに、
機能設定情報に基づいて各種機能を実行するステップと、
前記機能設定情報を含む登録要求を前記端末管理装置に送信するか、前記端末管理装置から受信された前記機能設定情報を更新する要求を前記端末管理装置に送信するステップと
を実行させることを可能にするコンピュータ・プログラム。
【請求項１７】
通信回線を介するデータ通信をサポートする複数の端末と、前記端末の端末機能確立を実行するために前記通信回線を介して前記端末と通信する端末管理装置とを有する端末管理システムで使用される端末管理装置のコンピュータに、
前記端末からの登録要求に含まれる機能設定情報を前記端末管理装置に登録するステップと、
前記端末からの更新に関する要求に基づいて前記機能設定情報を送信するステップと
を実行させることを可能にするコンピュータ・プログラム。
【発明の詳細な説明】
【技術分野】
【０００１】
本発明は、端末管理技術に関し、特に通信網を介して各種通信を行う端末の端末機能の設定を管理するための技術に関する。
【背景技術】
【０００２】
近年、インターネットや移動体通信網などの通信網を用いたデータ通信技術の発展に伴い、これら通信網を介して各種通信を行う端末で利用できるサービスが飛躍的に多様化している。例えば、端末の１つである携帯電話端末は、移動体通信網を用いた音声通信サービスを提供するサービス機能のほか、データ通信サービス、ショート・メッセージ・サービス、ワイヤレス・インターネット・サービスといった各種追加サービスを提供するサービス機能を備えている。
【０００３】
また、携帯電話端末は、例えば相手電話番号、スケジュール、アラーム、メロディ（着信音）、および個人情報の保管および管理など、ユーザにとって便利なユーティリティ機能も備えている。
このような携帯電話端末は、これらサービス機能やユーティリティ機能の動作すなわちユーザの使用環境について、ユーザが任意に設定するための設定機能を有している。
【０００４】
通常、携帯電話端末の設定機能は、サービス機能やユーティリティ機能ごとに階層的なメニューを画面表示し、ユーザの操作に応じて当該サービスに関する各種機能動作の設定値を取得し、これら設定値を機能設定情報として不揮発性メモリからなる記憶部へ登録する。携帯電話端末のサービス機能やユーティリティ機能は、設定機能により記憶部に登録された機能設定情報を参照して動作することにより、ユーザが所望する使用環境を提供することが可能となる。
【０００５】
【非特許文献１】http://www.lge.com/catalog/prodlist?categoryId=CTG1000538&modelCategoryId=CTG1000539&parentId=CTG1000441,"CDMA Mobile Phone",LG Electronics
【発明の開示】
【発明が解決しようとする課題】
【０００６】
このような端末は、特定のユーザにのみが使用される場合がほとんどであるが、複数のユーザ、さらには不特定多数のユーザに共用される場合もある。例えば、社員に対して携帯電話端末やＰＤＡ(Personal Digital Assistance)を付与して、社内連絡や業務管理を行うシステムもある。また、同一ユーザが複数の端末を購入して利用する場合もある。例えば、使用状況や必要に応じて同一ユーザが携帯電話端末とＰＤＡを使い分ける場合もある。
【０００７】
このように、ユーザがいつも使用している端末とは別の端末を利用する場合、その使用環境が異なることからユーザにとって使い勝手が悪い。したがって、ユーザは端末の設定機能を用いて所望の使用環境を得ようとする。
しかしながら、このような従来技術では、ユーザが所望する使用環境を得るにはそれぞれの端末の設定機能を用いて各種サービス機能の詳細を設定する必要があり、その設定作業がユーザにとって大きな負担となる。したがって、任意の端末に対してユーザの所望する使用環境を容易に適用できないという問題点があった。
【０００８】
例えば、サービス機能の多様化により設定項目が増大しているため、その作業負担は無視できない。さらに、端末で個人情報を保管している場合、その個人情報の再入力のための操作も負担となる。
また、設定機能を提供する設定用アプリケーションは、端末の機種やメーカーによって構成や表現、すなわちマン・マシン・インターフェースが異なるため、ユーザが異なる端末の使用環境を使い慣れた使用環境に設定することは難しい。
【０００９】
本発明はこのような課題を解決するためのものであり、任意の端末に対してユーザの所望する使用環境を容易に適用できる端末管理システム、端末、端末管理装置、端末管理方法、およびプログラムを提供することを目的としている。
【課題を解決するための手段】
【００１０】
このような目的を達成するために、本発明にかかる端末管理システムは、通信回線を介してデータ通信を行う複数の端末と、通信回線を介して端末とデータ通信を行うことにより当該端末に対して機能動作に関する設定を行う端末管理装置とを備え、端末は、端末管理装置に当該端末の機能動作に関する機能設定情報を一旦蓄積することにより、端末管理装置を介して端末間で機能設定情報を転送する。
【００１１】
また、本発明にかかる他の端末管理システムは、通信回線を介してデータ通信を行う複数の端末と、通信回線を介して端末とデータ通信を行うことにより当該端末に対して機能動作に関する設定を行う端末管理装置とを備え、端末は、当該端末の機能動作に関する機能設定情報を記憶する記憶部と、記憶部に格納されている機能設定情報に基づいて各種機能動作を実行する機能制御手段と、記憶部の機能設定情報を含む登録要求を端末管理装置へ送信するとともに、機能設定情報の更新要求を端末管理装置に送信して端末管理装置から受信した機能設定情報を記憶部へ格納する設定情報管理手段とを有し、端末管理装置は、端末の機能動作に関する機能設定情報を記憶する蓄積部と、端末からの登録要求に含まれる機能設定情報を蓄積部へ登録する設定情報登録手段と、端末からの更新要求に応じて蓄積部に登録されている機能設定情報を端末へ配信する設定情報配信手段とを有する。
【００１２】
この際、設定情報管理手段で、登録要求を送信する際、端末または端末を利用するユーザに関する識別情報を含む登録要求を送信するとともに、更新要求を送信する際、識別情報を含む更新要求を送信し、設定情報登録手段で、機能設定情報を登録する際、登録要求に含まれている識別情報と対応付けて機能設定情報を登録し、設定情報配信手段で、機能設定情報を配信する際、更新要求に含まれている識別情報と対応する機能設定情報を蓄積部から取得して配信するようにしてもよい。
【００１３】
さらに、識別情報は、端末に固有のモバイル識別番号(MIN:Mobile Identification Number)を含んでもよく、端末に固有のシリアル番号(ESN:Electronic Serial Number)を含んでもよい。
【００１４】
また、端末に、ユーザ操作に応じて記憶部の機能設定情報を変更する機能設定手段をさらに設け、設定情報管理手段で、機能設定情報の変更に応じて変更後の機能設定情報を含む登録要求を端末管理装置へ送信するようにしてもよい。
【００１５】
また、設定情報管理手段で、当該端末の電源投入に応じて記憶部の機能設定情報を含む登録要求を端末管理装置へ送信するようにしてもよい。
【００１６】
また、設定情報管理手段で、当該端末が利用する通信サービスを提供する通信システムに対して当該端末が登録処理を行う際、記憶部の機能設定情報を含む登録要求を端末管理装置へ送信するようにしてもよい。
【００１７】
また、本発明にかかる端末は、通信回線を介してデータ通信を行う複数の端末と、通信回線を介して端末とデータ通信を行うことにより当該端末に対して機能動作に関する設定を行う端末管理装置とを備える端末管理システムで用いられる端末であって、当該端末の機能動作に関する機能設定情報を記憶する記憶部と、記憶部に格納されている機能設定情報に基づいて各種機能動作を実行する機能制御手段と、記憶部の機能設定情報を含む登録要求を端末管理装置へ送信するとともに、機能設定情報の更新要求を端末管理装置に送信して端末管理装置から受信した機能設定情報を記憶部へ格納する設定情報管理手段とを備える。
【００１８】
また、本発明にかかる端末管理装置は、通信回線を介してデータ通信を行う複数の端末と、通信回線を介して端末とデータ通信を行うことにより当該端末に対して機能動作に関する設定を行う端末管理装置とを備える端末管理システムで用いられる端末管理装置であって、端末の機能動作に関する機能設定情報を記憶する蓄積部と、端末からの登録要求に含まれる機能設定情報を蓄積部へ登録する設定情報登録手段と、端末からの更新要求に応じて蓄積部に登録されている機能設定情報を端末へ配信する設定情報配信手段とを備える。
【００１９】
また、本発明にかかる端末管理方法は、通信回線を介してデータ通信を行う複数の端末と、通信回線を介して端末とデータ通信を行うことにより当該端末に対して機能動作に関する設定を行う端末管理装置とを備える端末管理システムで用いられる端末管理方法であって、端末により、当該端末の機能動作に関する機能設定情報を当該端末の記憶部で記憶する記憶ステップと、端末により、記憶部に格納されている機能設定情報に基づいて各種機能動作を実行する機能制御ステップと、端末により、記憶部の機能設定情報を含む登録要求を端末管理装置へ送信するとともに、機能設定情報の更新要求を端末管理装置に送信して端末管理装置から受信した機能設定情報を記憶部へ格納する機能情報管理ステップと、端末管理装置により、端末の機能動作に関する機能設定情報を当該端末管理装置の蓄積部で記憶する登録ステップと、
端末管理装置により、端末からの登録要求に含まれる機能設定情報を蓄積部へ登録する設定情報登録ステップと、端末管理装置により、端末からの更新要求に応じて蓄積部に登録されている機能設定情報を端末へ配信する設定情報配信ステップとを備える。
【００２０】
また、本発明にかかるプログラムは、通信回線を介してデータ通信を行う複数の端末と、通信回線を介して端末とデータ通信を行うことにより当該端末に対して機能動作に関する設定を行う端末管理装置とを備える端末管理システムで用いられる端末のコンピュータに、当該端末の機能動作に関する機能設定情報を当該端末の記憶部で記憶する記憶ステップと、記憶部に格納されている機能設定情報に基づいて各種機能動作を実行する機能制御ステップと、記憶部の機能設定情報を含む登録要求を端末管理装置へ送信するとともに、機能設定情報の更新要求を端末管理装置に送信して端末管理装置から受信した機能設定情報を記憶部へ格納する機能情報管理ステップとを実行させる。
【００２１】
また、本発明にかかるプログラムは、通信回線を介してデータ通信を行う複数の端末と、通信回線を介して端末とデータ通信を行うことにより当該端末に対して機能動作に関する設定を行う端末管理装置とを備える端末管理システムで用いられる端末管理装置のコンピュータに、端末の機能動作に関する機能設定情報を当該端末管理装置の蓄積部で記憶する登録ステップと、端末からの登録要求に含まれる機能設定情報を蓄積部へ登録する設定情報登録ステップと、端末からの更新要求に応じて蓄積部に登録されている機能設定情報を端末へ配信する設定情報配信ステップとを実行させる。
【発明の効果】
【００２２】
本発明によれば、端末において、機能設定情報を含む登録要求が端末管理装置へ送信されて、端末管理装置へ機能設定情報が登録され、その後、更新要求が端末管理装置に送信されて、端末管理装置から受信した機能設定情報が記憶部へ格納される。また、端末管理装置において、端末からの登録要求に含まれる機能設定情報が蓄積部へ登録され、その後、端末からの更新要求に応じて蓄積部に登録されている機能設定情報が端末へ配信される。
【００２３】
これにより、ユーザが使い慣れた端末の使用環境を異なる端末に適用する際、従来のように端末の設定機能を用いてユーザがサービス機能やユーティリティ機能に関する各種機能動作の設定値を逐次設定するための作業負担を大幅に軽減でき、任意の端末に対してユーザの所望する使用環境を容易に適用できる。
【発明を実施するための最良の形態】
【００２４】
次に、本発明の実施の形態について図面を参照して説明する。
［第１の実施の形態］
まず、図１を参照して、本発明の第１の実施の形態にかかる端末管理システムについて説明する。図１は、本発明の第１の実施の形態にかかる端末管理システムの構成を示すブロック図である。
【００２５】
この端末管理システムは、インターネットや移動体通信網など１つ以上の通信網からなる通信網３を介して各種通信を行う端末１（１Ａ，１Ｂ，…，１Ｎ／Ｎは２以上の整数）と、通信網３を介して各端末１とデータ通信を行うことにより当該端末１に対してその機能動作に関する設定を行う端末管理装置２とから構成されている。端末１Ａ，１Ｂ，…，１Ｎは、通信回線４Ａ，４Ｂ，…，４Ｎを介して通信網３と接続されている。端末管理装置２は、通信回線５を介して通信網３と接続されている。
【００２６】
本実施の形態は、端末１において、端末管理装置２に当該端末１の機能動作に関する機能設定情報を一旦蓄積することにより、端末管理装置２を介して端末１間で機能設定情報を転送するようにしたものである。
具体的には、端末１において、当該端末の機能動作に関する機能設定情報を通信網３を介して端末管理装置２へ送信し、端末管理装置２において、端末１から受信した機能設定情報を蓄積部へ登録しておき、端末１からの要求に応じて端末管理装置２から、蓄積部に登録されている端末１の機能動作に関する機能設定情報を通信網３を介して端末１へ配信し、端末１において、端末管理装置２から受信した機能設定情報を記憶部へ格納し、この機能設定情報に基づいて各種機能動作を実行するようにしたものである。
【００２７】
［端末］
次に、図２を参照して、本発明の第１の実施の形態にかかる端末管理システムで用いられる端末の構成について詳細に説明する。図２は、本発明の第１の実施の形態にかかる端末管理システムで用いられる端末の構成を示すブロック図である。ここでは、端末１が携帯電話端末からなる場合を例として説明する。なお、端末１Ａ，１Ｂ，…，１Ｎは、同様の構成をなしているものとする。
【００２８】
端末１は、通信機能を有する情報処理端末からなり、通信インターフェース部（以下、通信Ｉ／Ｆ部という）１１、音声処理部１２、表示部１３、操作入力部１４、記憶部１５、および制御部１６を備えている。
【００２９】
通信Ｉ／Ｆ部１１は、無線の通信回線４を介してデータ通信を行う専用の回路部からなり、音声通信サービス、データ通信サービス、ショート・メッセージ・サービス、ワイヤレス・インターネット・サービスなどのサービスで用いる各種データを相手端末との間で送受信する機能と、当該端末１の機能動作に関する機能設定情報を端末管理装置２との間で送受信する機能とを有している。
【００３０】
音声処理部１２は、音声データおよび音声信号を処理する専用の回路部からなり、通信Ｉ／Ｆ部１１で受信した音声データを復号して得た音声信号をスピーカ（図示せず）から出力する機能と、マイク（図示せず）から入力された音声信号を音声データに符号化して通信Ｉ／Ｆ部１１へ出力する機能と、制御部１６からの指示に応じて各種報知音や音声メッセージをスピーカから出力する機能とを有している。
【００３１】
表示部１３は、ＬＣＤなどの画面表示装置からなり、制御部１６からの指示に応じて各種サービスに応じた画面情報を表示する機能と、機能設定情報を設定するための設定メニュー画面を表示する機能とを有している。
操作入力部１４は、ダイヤルキーや各種機能キーからなり、ユーザの操作を検出して制御部１６へ出力する機能を有している。
【００３２】
記憶部１５は、メモリなどの記憶装置からなり、制御部１６での情報処理に用いる各種処理情報やプログラム１５Ｐを記憶する機能を有している。プログラム１５Ｐは、制御部１６に読み込まれて実行されるプログラムであり、予め外部装置から読み込まれて記憶部１５に格納される。
記憶部１５で記憶する主な処理情報としては、機能設定情報１５Ａと識別情報１５Ｂがある。
【００３３】
機能設定情報１５Ａは、制御部１６で制御される各種機能動作に関する設定情報である。例えば、当該端末１は、前述した各種サービスを提供するサービス機能に加えて、例えば相手電話番号、スケジュール、アラーム、メロディ（着信音）、および個人情報の保管および管理など、ユーザにとって便利なユーティリティ機能も備えている。機能設定情報１５Ａは、これらサービス機能やユーティリティ機能の動作の詳細を規定する情報である。
【００３４】
機能設定情報１５Ａの具体例としては、例えば音声通信サービスに関する設定内容として、着信音や通話音の音量設定、着信音の選択、電話番号通知の要否、着信時における相手名称や相手電話番号の表示要否、自動着信の要否、留守番電話の要否などがある。
このような機能設定情報１５Ａをユーザが任意に設定変更することにより、ユーザが所望する使用環境で端末１を利用することが可能となる。
【００３５】
識別情報１５Ｂは、当該端末１やユーザに固有の識別情報であり、上記サービス利用時に使用されるほか、端末管理装置２で端末１の機能設定情報１５Ａを管理する際に使用される。
【００３６】
制御部１６は、ＣＰＵなどのマイクロプロセッサとその周辺回路を有し、記憶部１５のプログラム１５Ｐを読み込んで実行することにより、上記ハードウェアとプログラム１５Ｐとを協働させて各種機能手段を実現する機能部である。
制御部１６で実現される主な機能手段としては、機能制御手段１６Ａ、機能設定手段１６Ｂ、および設定情報管理手段１６Ｃがある。
【００３７】
機能制御手段１６Ａは、記憶部１５に格納されている機能設定情報１５Ａに基づいて、前述したサービス機能やユーティリティ機能などの各種機能動作を実行する機能を有している。
機能設定手段１６Ｂは、表示部１３に対して設定メニュー画面を表示し、操作入力部１４で検出されたユーザ操作に応じて任意の機能動作に関する機能設定値を選択し、その機能設定値により記憶部１５の機能設定情報１５Ａを更新する機能を有している。
【００３８】
設定情報管理手段１６Ｃは、記憶部１５の機能設定情報１５Ａを端末管理装置２へ登録するための登録要求を通信Ｉ／Ｆ部１１を介して端末管理装置２へ送信する機能と、登録要求を送信する際、記憶部１５の識別情報１５Ｂを含む登録要求を送信する機能と、新たな機能設定情報の配信要求を通信Ｉ／Ｆ部１１を介して端末管理装置２へ送信する機能と、配信要求を送信する際、記憶部１５の識別情報１５Ｂを含む配信要求を送信する機能と、通信Ｉ／Ｆ部１１を介して端末管理装置２から受信した機能設定情報を記憶部１５へ機能設定情報１５Ａとして格納する機能とを有している。
【００３９】
［端末管理装置］
次に、図３を参照して、本発明の第１の実施の形態にかかる端末管理システムで用いられる端末管理装置の構成について詳細に説明する。図３は、本発明の第１の実施の形態にかかる端末管理システムで用いられる端末管理装置の構成を示すブロック図である。
【００４０】
端末管理装置２は、通信機能を有する情報処理装置（サーバ）からなり、通信インターフェース部（以下、通信Ｉ／Ｆ部という）２１、蓄積部２５、および制御部２６を備えている。
通信Ｉ／Ｆ部２１は、通信回線５を介してデータ通信を行う専用の回路部からなり、端末１の機能動作に関する機能設定情報を端末１との間で送受信する機能と、通信網３を介して接続された外部装置（図示せず）から端末１で用いられる機能設定情報１５Ａを受信する機能とを有している。
【００４１】
蓄積部２５は、ハードディスクやメモリなどの記憶装置からなり、制御部２６での情報処理に用いる各種処理情報やプログラム２５Ｐを記憶する機能を有している。プログラム２５Ｐは、制御部２６に読み込まれて実行されるプログラムであり、予め外部装置から読み込まれて蓄積部２５に格納される。
【００４２】
蓄積部２５で記憶する主な処理情報としては、機能設定情報データベース（以下、機能設定情報ＤＢ）２５Ａがある。
図４は、機能設定情報ＤＢの構成例である。ここでは、端末１の識別情報に対応付けて当該端末１の機能設定情報１５Ａが登録されている。
【００４３】
制御部２６は、ＣＰＵなどのマイクロプロセッサとその周辺回路を有し、蓄積部２５のプログラム２５Ｐを読み込んで実行することにより、上記ハードウェアとプログラム２５Ｐとを協働させて各種機能手段を実現する機能部である。
制御部２６で実現される主な機能手段としては、設定情報登録手段２６Ａと設定情報配信手段２６Ｂがある。
【００４４】
設定情報登録手段２６Ａは、通信網３を介して接続された外部装置から通信Ｉ／Ｆ部２１を介して受信した、端末１で用いられる機能設定情報１５Ａを、蓄積部２５の機能設定情報ＤＢ２５Ａへ登録する機能を有している。
設定情報配信手段２６Ｂは、通信Ｉ／Ｆ部２１を介して受信した端末１からの配信要求に応じて、当該配信要求に含まれている端末１の識別情報に基づき蓄積部２５の機能設定情報ＤＢ２５Ａを検索する機能と、この検索により取得した当該識別情報に対応する機能設定情報を通信Ｉ／Ｆ部２１を介して端末１へ配信する機能とを有している。
【００４５】
［第１の実施の形態の動作］
次に、図５および図６を参照して、本発明の第１の実施の形態にかかる端末管理システムの動作について説明する。図５は、本発明の第１の実施の形態にかかる端末管理システムの設定情報登録動作を示すシーケンス図である。図６は、本発明の第１の実施の形態にかかる端末管理システムの設定情報更新動作を示すシーケンス図である。
【００４６】
まず、図５を参照して、本発明の第１の実施の形態にかかる端末管理システムの設定情報登録動作について説明する。ここでは、端末１におけるユーザ操作に応じて、端末１から端末管理装置２に対して機能設定情報の登録を要求し、これに応じて端末管理装置２で端末１Ａから受信した機能設定情報を蓄積部２５へ登録する場合について説明する。
【００４７】
端末１Ａの制御部１６は、ユーザによる登録要求操作が操作入力部１４で検出された場合（ステップ１００）、設定情報管理手段１６Ｃにより、記憶部１５から機能設定情報１５Ａと識別情報１５Ｂを取得し（ステップ１０１）、これら機能設定情報１５Ａと識別情報１５Ｂを含む登録要求メッセージを通信Ｉ／Ｆ部１１から端末管理装置２へ送信する（ステップ１０２）。
【００４８】
端末管理装置２の制御部２６は、通信Ｉ／Ｆ部２１を介して端末１からの登録要求メッセージを受信した場合、設定情報配信手段２６Ｂにより、当該登録要求メッセージから端末１の機能設定情報１５Ａと識別情報１５Ｂを抽出する（ステップ１０４）。この後、設定情報配信手段２６Ｂは、抽出した識別情報１５Ｂに同じく抽出した機能設定情報１５Ａを対応付けて蓄積部２５の機能設定情報ＤＢ２５Ａに登録する（ステップ１０５）。続いて、設定情報配信手段２６Ｂは、登録完了を示す応答メッセージを、当該登録要求メッセージの送信元である端末１へ通信Ｉ／Ｆ部２１を介して送信する（ステップ１０６）。これにより、一連の設定情報登録動作が終了する。
【００４９】
次に、図６を参照して、本発明の第１の実施の形態にかかる端末管理システムの設定情報更新動作について説明する。ここでは、端末１におけるユーザ操作に応じて、端末１から端末管理装置２に対して機能設定情報の更新を要求し、これに応じて端末管理装置２の蓄積部２５に登録されている機能設定情報を端末１へ配信して、端末１で機能設定情報を更新する場合について説明する。
【００５０】
端末１の制御部１６は、ユーザによる更新要求操作が操作入力部１４で検出された場合（ステップ１１０）、設定情報管理手段１６Ｃにより、記憶部１５から識別情報１５Ｂを取得し（ステップ１１１）、この識別情報１５Ｂを含む更新要求メッセージを通信Ｉ／Ｆ部１１から端末管理装置２へ送信する（ステップ１１２）。
【００５１】
端末管理装置２の制御部２６は、通信Ｉ／Ｆ部２１を介して端末１からの更新要求メッセージを受信した場合、設定情報配信手段２６Ｂにより、当該更新要求メッセージから端末１の識別情報を抽出する（ステップ１１３）。この後、設定情報配信手段２６Ｂは、蓄積部２５の機能設定情報ＤＢ２５Ａを検索し、抽出した識別情報と対応する機能設定情報を取得する（ステップ１１４）。続いて、設定情報配信手段２６Ｂは、取得した機能設定情報を含む応答メッセージを、当該更新要求メッセージの送信元である端末１へ通信Ｉ／Ｆ部２１を介して送信する（ステップ１１５）。
【００５２】
端末１の制御部１６は、通信Ｉ／Ｆ部１１を介して端末管理装置２から応答メッセージを受信した場合、設定情報管理手段１６Ｃにより、当該応答メッセージから機能設定情報を抽出し（ステップ１１６）、抽出した機能設定情報で記憶部１５の機能設定情報１５Ａを更新する（ステップ１１７）。これにより、一連の設定情報更新動作が終了する。
【００５３】
［端末の動作］
次に、図７および図８を参照して、本発明の第１の実施の形態にかかる端末管理システムで用いられる端末の動作について説明する。図７は、本発明の第１の実施の形態にかかる端末管理システムで用いられる端末の設定情報登録処理を示すフローチャートである。図８は、本発明の第１の実施の形態にかかる端末管理システムで用いられる端末の設定情報更新処理を示すフローチャートである。
【００５４】
まず、図７を参照して、本発明の第１の実施の形態にかかる端末管理システムで用いられる端末１の設定情報登録動作について説明する。
端末１の制御部１６は、ユーザによる登録要求操作が操作入力部１４で検出された場合、図７に示す設定情報登録処理を開始する。
【００５５】
まず、端末１の制御部１６は、設定情報管理手段１６Ｃにより、記憶部１５から機能設定情報１５Ａと識別情報１５Ｂを取得し（ステップＳ１）、これら機能設定情報１５Ａと識別情報１５Ｂを含む登録要求メッセージを通信Ｉ／Ｆ部１１から端末管理装置２へ送信する（ステップＳ２）。
これにより、端末管理装置２において、当該登録要求メッセージに含まれる機能設定情報１５Ａが同じく当該登録要求メッセージに含まれる識別情報１５Ｂに対応付けて蓄積部２５の機能設定情報ＤＢ２５Ａに登録される。登録後、登録完了を示す応答メッセージが端末管理装置２から端末１へ送信される。
【００５６】
端末１の制御部１６は、登録要求メッセージを送信した後、設定情報管理手段１６Ｃにより、通信Ｉ／Ｆ部１１を介した端末管理装置２からの応答メッセージの受信を待機する（ステップＳ３）。ここで、登録要求メッセージの送信から所定期間経過しても端末管理装置２からの応答メッセージが受信されない場合（ステップＳ３：ＮＯ）、設定情報管理手段１６Ｃは、上記登録要求メッセージの再送信を行って（ステップＳ４）、ステップＳ３の応答メッセージの受信待機へ戻る。
一方、通信Ｉ／Ｆ部１１を介して端末管理装置２からの応答メッセージが受信された場合（ステップＳ３：ＹＥＳ）、制御部１６は、一連の設定情報登録処理を終了する。
【００５７】
次に、図８を参照して、本発明の第１の実施の形態にかかる端末管理システムで用いられる端末１の設定情報更新動作について説明する。
端末１Ａの制御部１６は、ユーザによる更新要求操作が操作入力部１４で検出された場合、図８に示す設定情報更新処理を開始する。
【００５８】
まず、端末１の制御部１６は、設定情報管理手段１６Ｃにより、記憶部１５から識別情報１５Ｂを取得し（ステップＳ１１）、この識別情報１５Ｂを含む更新要求メッセージを通信Ｉ／Ｆ部１１から端末管理装置２へ送信する（ステップＳ１２）。
これにより、端末管理装置２において、当該更新要求メッセージに含まれる識別情報１５Ｂに対応付けて蓄積部２５の機能設定情報ＤＢ２５Ａに登録されている機能設定情報が取得され、この機能設定情報を含む応答メッセージが端末管理装置２から端末１へ送信される。
【００５９】
端末１の制御部１６は、更新要求メッセージを送信した後、設定情報管理手段１６Ｃにより、通信Ｉ／Ｆ部１１を介した端末管理装置２からの応答メッセージの受信を待機する（ステップＳ１３）。ここで、更新要求メッセージの送信から所定期間経過しても端末管理装置２からの応答メッセージが受信されない場合（ステップＳ１３：ＮＯ）、設定情報管理手段１６Ｃは、ステップＳ１２に戻って更新要求メッセージの再送信を行い（ステップＳ１２）、ステップＳ１３の応答メッセージの受信待機へ戻る。
【００６０】
一方、通信Ｉ／Ｆ部１１を介して端末管理装置２からの応答メッセージが受信された場合（ステップＳ１３：ＹＥＳ）、制御部１６は、設定情報管理手段１６Ｃにより、受信した応答メッセージから機能設定情報を抽出する（ステップＳ１４）。続いて、設定情報管理手段１６Ｃは、抽出した機能設定情報で記憶部１５の機能設定情報１５Ａを更新する（ステップＳ１５）。この後、制御部１６は、一連の設定情報更新処理を終了する。
【００６１】
［端末管理装置の動作］
次に、図９および図１０を参照して、本発明の第１の実施の形態にかかる端末管理システムで用いられる端末管理装置の動作について説明する。図９は、本発明の第１の実施の形態にかかる端末管理システムで用いられる端末管理装置のＤＢ登録処理を示すフローチャートである。図１０は、本発明の第１の実施の形態にかかる端末管理システムで用いられる端末管理装置の設定情報配信処理を示すフローチャートである。
【００６２】
まず、図９を参照して、本発明の第１の実施の形態にかかる端末管理システムで用いられる端末管理装置２のＤＢ登録動作について説明する。
端末管理装置２の制御部１６は、通信Ｉ／Ｆ部２１で端末１からの登録要求メッセージが受信された場合、図９に示すＤＢ登録処理を開始する。
【００６３】
まず、端末管理装置２の制御部２６は、設定情報格納手段２６Ａにより、通信Ｉ／Ｆ部２１から登録要求メッセージを取得し（ステップＳ２１）、この登録要求メッセージから端末１の機能設定情報１５Ａと識別情報１５Ｂを抽出する（ステップＳ２２）。この後、設定情報格納手段２６Ａは、登録要求メッセージから抽出した識別情報１５Ｂに対応付けて同じく登録要求メッセージから抽出した機能設定情報１５Ａを蓄積部２５の機能設定情報ＤＢ２５Ａに登録する（ステップＳ２３）。続いて、設定情報格納手段２６Ａは、登録完了を示す応答メッセージを、当該登録要求メッセージの送信元である端末１へ通信Ｉ／Ｆ部２１を介して送信する（ステップＳ２４）。この後、制御部２６は、一連のＤＢ登録処理を終了する。
【００６４】
次に、図１０を参照して、本発明の第１の実施の形態にかかる端末管理システムで用いられる端末管理装置２の設定情報配信動作について説明する。
端末管理装置２の制御部１６は、通信Ｉ／Ｆ部２１で端末１からの更新要求メッセージが受信された場合、図１０に示す設定情報配信処理を開始する。
【００６５】
まず、端末管理装置２の制御部２６は、設定情報配信手段２６Ｂにより、通信Ｉ／Ｆ部２１から更新要求メッセージを取得し（ステップＳ３１）、この更新要求メッセージから端末１の識別情報１５Ｂを抽出する（ステップＳ３２）。この後、設定情報配信手段２６Ｂは、蓄積部２５の機能設定情報ＤＢ２５Ａを検索し、更新要求メッセージから抽出した識別情報１５Ｂに対応付けて登録されている機能設定情報を機能設定情報ＤＢ２５Ａから取得する（ステップＳ３３）。続いて、設定情報配信手段２６Ｂは、取得した機能設定情報を含む応答メッセージを、当該更新要求メッセージの送信元である端末１へ通信Ｉ／Ｆ部２１を介して送信する（ステップＳ２４）。この後、制御部２６は、一連の設定情報配信処理を終了する。
【００６６】
このように、本実施の形態は、端末１において、端末管理装置２に当該端末１の機能動作に関する機能設定情報を一旦蓄積することにより、端末管理装置２を介して端末１間で機能設定情報を転送するようにしたものである。
【００６７】
より具体的には、端末１の設定情報管理手段１６Ｃにより、記憶部１５の機能設定情報１５Ａを含む登録要求を端末管理装置２へ送信して、端末管理装置２へ機能設定情報１５Ａを登録しておき、その後、更新要求を端末管理装置２に送信して、端末管理装置２から受信した機能設定情報を記憶部１５へ格納するようにしたものである。また、端末管理装置２の設定情報登録手段２６Ａにより、端末１からの登録要求に含まれる機能設定情報を蓄積部２５へ登録しておき、その後、端末１からの更新要求に応じて蓄積部２５に登録されている機能設定情報を端末１へ配信するようにしたものである。
【００６８】
これにより、例えばユーザが使い慣れた端末１Ａの機能設定情報を端末管理装置２を介して端末１Ｂに設定することができ、従来のように端末１Ｂの設定機能を用いてユーザがサービス機能やユーティリティ機能に関する各種機能動作の設定値を逐次設定するための作業負担を大幅に軽減でき、任意の端末に対してユーザの所望する使用環境を容易に適用できる。
【００６９】
また、端末１の設定情報管理手段１６Ｃにより、登録要求を送信する際、端末１または端末１を利用するユーザに関する識別情報を含む登録要求を送信するとともに、更新要求を送信する際、上記識別情報を含む更新要求を送信し、端末管理装置２の設定情報登録手段２６Ａにより、機能設定情報を登録する際、登録要求に含まれている識別情報と対応付けて機能設定情報を登録し、端末管理装置２の設定情報配信手段２６Ｂにより、機能設定情報を配信する際、更新要求に含まれている識別情報と対応する機能設定情報を蓄積部２５から取得して配信するようにしたので、複数の端末に関する機能設定情報を並行して管理することができる。
【００７０】
また、識別情報として、携帯電話端末に予め設定されている固有のモバイル識別番号(MIN:Mobile Identification Number)やシリアル番号(ESN:Electronic Serial Number)を含む識別情報を用いてもよい。これらモバイル識別番号やシリアル番号は、携帯電話端末が利用される通信システムで、課金や呼制御のための当該端末に固有の識別子である。したがって、これらモバイル識別番号やシリアル番号を含む識別情報を用いることにより、新たな識別情報を各端末に付与することなく、既存の識別情報を用いて各端末の機能設定情報を容易かつ確実に識別することができる。
なお、識別情報を指定しない場合、複数の端末に関する機能設定情報を並行して管理しない限り、正常に動作する。
【００７１】
［第２の実施の形態］
次に、図１１を参照して、本発明の第２の実施の形態にかかる端末管理システムについて説明する。図１１は、本発明の第２の実施の形態にかかる端末管理システムの設定情報登録動作を示すシーケンス図である。
【００７２】
前述した第１の実施の形態では、端末１から端末管理装置２に対して端末１の機能設定情報１５Ａを登録する際、ユーザの登録要求操作に応じて機能設定情報１５Ａを含む登録要求を端末管理装置２へ送信する場合を例として説明した。本実施の形態では、端末１の機能設定情報１５Ａの変更に応じて機能設定情報１５Ａを含む登録要求を端末管理装置２へ送信する場合について説明する。なお、本実施の形態にかかる端末管理システム、端末１および端末管理装置２の構成については、前述した図１と同様であり、個々での詳細な説明は省略する。
【００７３】
［第２の実施の形態の動作］
次に、図１１を参照して、本発明の第２の実施の形態にかかる端末管理システムの設定情報登録動作について説明する。
端末１Ａの制御部１６は、ユーザによる機能設定情報１５Ａに対する変更要求操作が操作入力部１４で検出された場合（ステップ１２０）、機能設定手段１６Ｂにより、記憶部１５から機能設定情報１５Ａと識別情報１５Ｂを取得する（ステップ１２１）。この後、機能設定手段１６Ｂは、表示部１３に設定変更用メニューを画面表示し、操作入力部１４で検出されたユーザ操作に応じて機能設定情報１５Ａを変更し、記憶部１５へ格納する（ステップ１２２）。
【００７４】
このようにして機能設定情報１５Ａが変更された後、端末１Ａの制御部１６は、設定情報管理手段１６Ｃにより、変更後の機能設定情報１５Ａと識別情報１５Ｂを含む登録要求メッセージを通信Ｉ／Ｆ部１１から端末管理装置２へ送信する（ステップ１２３）。
【００７５】
端末管理装置２の制御部２６は、通信Ｉ／Ｆ部２１を介して端末１からの登録要求メッセージを受信した場合、設定情報配信手段２６Ｂにより、当該登録要求メッセージから端末１の機能設定情報１５Ａと識別情報１５Ｂを抽出する（ステップ１２４）。この後、設定情報配信手段２６Ｂは、抽出した識別情報１５Ｂに同じく抽出した機能設定情報１５Ａを対応付けて蓄積部２５の機能設定情報ＤＢ２５Ａに登録する（ステップ１２５）。続いて、設定情報配信手段２６Ｂは、登録完了を示す応答メッセージを、当該登録要求メッセージの送信元である端末１へ通信Ｉ／Ｆ部２１を介して送信する（ステップ１２６）。これにより、一連の設定情報登録動作が終了する。
【００７６】
［端末の動作］
次に、図１２を参照して、本発明の第２の実施の形態にかかる端末管理システムで用いられる端末の動作について説明する。図１２は、本発明の第２の実施の形態にかかる端末管理システムで用いられる端末の設定情報登録処理を示すフローチャートである。
端末１の制御部１６は、ユーザによる機能設定情報１５Ａに対する変更要求操作が操作入力部１４で検出された場合、図１２に示す設定情報登録処理を開始する。
【００７７】
まず、端末１の制御部１６は、機能設定手段１６Ｂにより、記憶部１５から機能設定情報１５Ａと識別情報１５Ｂを取得する（ステップＳ４１）。この後、機能設定手段１６Ｂは、表示部１３に設定変更用メニューを画面表示し、操作入力部１４で検出されたユーザ操作に応じて機能設定情報１５Ａを変更し、記憶部１５へ格納する（ステップＳ４２）。
【００７８】
このようにして機能設定情報１５Ａが変更された後、端末１Ａの制御部１６は、設定情報管理手段１６Ｃにより、変更後の機能設定情報１５Ａと識別情報１５Ｂを含む登録要求メッセージを通信Ｉ／Ｆ部１１から端末管理装置２へ送信する（ステップＳ４３）。
これにより、端末管理装置２において、当該登録要求メッセージに含まれる機能設定情報１５Ａが同じく当該登録要求メッセージに含まれる識別情報１５Ｂに対応付けて蓄積部２５の機能設定情報ＤＢ２５Ａに登録される。登録後、登録完了を示す応答メッセージが端末管理装置２から端末１へ送信される。
【００７９】
端末１の制御部１６は、登録要求メッセージを送信した後、設定情報管理手段１６Ｃにより、通信Ｉ／Ｆ部１１を介した端末管理装置２からの応答メッセージの受信を待機する（ステップＳ４４）。ここで、登録要求メッセージの送信から所定期間経過しても端末管理装置２からの応答メッセージが受信されない場合（ステップＳ３：ＮＯ）、設定情報管理手段１６Ｃは、上記登録要求メッセージの再送信を行って（ステップＳ４５）、ステップＳ３の応答メッセージの受信待機へ戻る。
一方、通信Ｉ／Ｆ部１１を介して端末管理装置２からの応答メッセージが受信された場合（ステップＳ４４：ＹＥＳ）、制御部１６は、一連の設定情報登録処理を終了する。
【００８０】
このように、本実施の形態は、端末１の機能設定手段１６Ｂにより、ユーザ操作に応じて記憶部１５の機能設定情報１５Ａを変更し、設定情報管理手段１６Ｃにより、機能設定情報１５Ａの変更に応じて変更後の機能設定情報１５Ａを含む登録要求を端末管理装置２へ送信するようにしたので、ユーザにより端末１の機能設定情報が変更された場合、変更後の機能設定情報が自動的に端末管理装置２へ登録される。これにより、端末管理装置２において、最新の機能設定情報を管理することができる。したがって、ユーザの登録要求操作を省くことができ、機能設定情報を変更した後、ユーザが登録要求操作を忘れた場合でも、変更後の機能設定情報を端末管理装置２で管理することができる。
【００８１】
［第３の実施の形態］
次に、本発明の第３の実施の形態にかかる端末管理システムについて説明する。
前述した第２の実施の形態では、端末１での機能設定情報の変更に応じて端末１から端末管理装置２に対して機能設定情報を登録する場合について説明した。本実施の形態では、端末１の電源投入に応じて端末１から端末管理装置２に対して機能設定情報を登録する場合について説明する。なお、本実施の形態にかかる端末管理システム、端末１および端末管理装置２の構成については、前述した図１と同様であり、個々での詳細な説明は省略する。
【００８２】
［第３の実施の形態の動作］
次に、本発明の第３の実施の形態にかかる端末管理システムの設定情報登録動作について説明する。
通常、携帯電話端末などの端末は、ユーザにより当該端末に電源が投入された場合、端末の各部を初期化するための初期化処理を行う。端末１の制御部１６は、この初期化処理において、前述した図１２の設定情報登録処理を開始する。
【００８３】
これにより、ユーザにより端末１に電源投入された場合、記憶部１５の機能設定情報１５Ａが自動的に端末管理装置２へ登録される。これにより、端末管理装置２において、最新の機能設定情報を管理することができる。したがって、ユーザの登録要求操作を省くことができ、機能設定情報を変更した後、ユーザが登録要求操作を忘れた場合でも、変更後の機能設定情報を端末管理装置２で管理することができる。
【００８４】
［各実施の形態の拡張］
以上の各実施の形態では、本発明の端末管理システムが、端末１が利用する各種通信サービスを提供する通信システムと別個のシステムである場合を例として説明したが、これに限定されるものでない。本発明の端末管理システムを通信システムの一部により構成してもよい。
なお、通信システムの一部として端末管理システムを構成する場合、通信システムに対する端末１の登録処理、例えばサービス開始時や位置登録時における登録処理の際、端末１から端末管理装置２に対して機能設定情報を登録するようにしてもよい。
【００８５】
また、各実施の形態では、端末１が携帯電話端末からなる場合を例として説明したが、これに限定されるものではない。例えば、通信機能を持つＰＤＡを端末１として用いる場合であっても、前述と同様に各実施の形態を適用でき、同様の作用効果が得られる。
【００８６】
また、各実施の形態では、端末１が同種のフォーマットの機能設定情報を用いる場合を例として説明したが、機能設定情報のフォーマットが異なる端末間で機能設定情報をやり取りする場合は、機能設定情報の標準フォーマットを定めておき、端末１または端末管理装置２おいて、端末１に個別のフォーマットと標準フォーマットとを相互にフォーマット変換すればよい。
【００８７】
例えば、端末１から端末管理装置２へ機能設定情報１５Ａを登録する場合、制御部１６の設定情報管理手段１６Ｃで、記憶部１５から取得した機能設定情報１５Ａを、当該端末１の端末フォーマットから標準フォーマットに変換した後、端末管理装置２へ登録すればよい。また、端末管理装置２の機能設定情報で端末１の機能設定情報を更新する場合、端末管理装置２から配信された機能設定情報を制御部１６の設定情報管理手段１６Ｃで、標準フォーマットから当該端末１の端末フォーマットへ変換した後、記憶部１５へ格納すればよい。
【００８８】
あるいは、端末１から端末管理装置２へ機能設定情報１５Ａを登録する場合、端末１から受信した機能設定情報１５Ａを、端末管理装置２の設定情報登録手段２６Ａで当該端末１の端末フォーマットから標準フォーマットに変換した後、蓄積部２５へ登録すればよい。また、端末管理装置２の機能設定情報で端末１の機能設定情報を更新する場合、端末管理装置２の設定情報配信手段２６Ｂで、蓄積部２５から取得した機能設定情報を標準フォーマットから当該端末１の端末フォーマットへ変換した後、端末１へ配信すればよい。
【００８９】
この際、機能の種類、機能設定システム、設定値のサイズ、および機能設定に使用されるアプリケーション等について、その機能設定項目ごとに予め付与された識別番号と当該機能設定項目の設定値の組から機能設定情報を構成し、これを標準フォーマットとして用いればよい。
これにより、機能設定情報のフォーマットが異なる端末間であっても、機能設定情報をスムーズにやり取りすることができる。
【００９０】
なお、各実施の形態については、本発明の要旨を逸脱しない範囲で、適用する対象に応じて適宜変更可能である。
【図面の簡単な説明】
【００９１】
【図１】本発明の第１の実施の形態にかかる端末管理システムの構成を示すブロック図である。
【図２】本発明の第１の実施の形態にかかる端末管理システムで用いられる端末の構成を示すブロック図である。
【図３】本発明の第１の実施の形態にかかる端末管理システムで用いられる端末管理装置の構成を示すブロック図である。
【図４】機能設定情報ＤＢの構成例である。
【図５】本発明の第１の実施の形態にかかる端末管理システムの設定情報登録動作を示すシーケンス図である。
【図６】本発明の第１の実施の形態にかかる端末管理システムの設定情報更新動作を示すシーケンス図である。
【図７】本発明の第１の実施の形態にかかる端末管理システムで用いられる端末の設定情報登録処理を示すフローチャートである。
【図８】本発明の第１の実施の形態にかかる端末管理システムで用いられる端末の設定情報更新処理を示すフローチャートである。
【図９】本発明の第１の実施の形態にかかる端末管理システムで用いられる端末管理装置のＤＢ登録処理を示すフローチャートである。
【図１０】本発明の第１の実施の形態にかかる端末管理システムで用いられる端末管理装置の設定情報配信処理を示すフローチャートである。
【図１１】本発明の第２の実施の形態にかかる端末管理システムの設定情報登録動作を示すシーケンス図である。
【図１２】本発明の第２の実施の形態にかかる端末管理システムで用いられる端末の設定情報登録処理を示すフローチャートである。
【符号の説明】
【００９２】
１，１Ａ，１Ｂ〜１Ｎ…端末、２…端末管理装置、３…通信網、４，４Ａ，４Ｂ〜４Ｎ…通信回線、５…通信回線、１１…通信Ｉ／Ｆ部、１２…音声処理部、１３…表示部、１４…操作入力部、１５…記憶部、１５Ａ…機能設定情報、１５Ｂ…識別情報、１５Ｐ…プログラム、１６…制御部、１６Ａ…機能制御手段、１６Ｂ…機能設定手段、１６Ｃ…設定情報管理手段、２１…通信Ｉ／Ｆ部、２５…蓄積部、２５Ａ…機能設定情報ＤＢ、２５Ｐ…プログラム、２６…制御部、２６Ａ…設定情報登録手段、２６Ｂ…設定情報配信手段。
【図１】
2006094507.tif 000003
【図２】
2006094507.tif 000004
【図３】
2006094507.tif 000005
【図４】
2006094507.tif 000006
【図５】
2006094507.tif 000007
【図６】
2006094507.tif 000008
【図７】
2006094507.tif 000009
【図８】
2006094507.tif 000010
【図９】
2006094507.tif 000011
【図１０】
2006094507.tif 000012
【図１１】
2006094507.tif 000013
【図１２】
2006094507.tif 000014